(57)【要約】【課題】盛塩の汚れや飛散を防止するとともに魔除け効果に不安を感じさせない盛塩用容器を提供する。【解決手段】本考案に係る盛塩用容器５０は、五陵星を模った貫通孔３４を有する容器部３０と、十二支の動物が模られた蓋部４０を有しており、この内部に盛塩１０を収容する。このため、盛塩１０の汚れや埃の付着を防止することができる。また、風や衝撃により盛塩１０が設置場所周辺に飛散することを防止することができる。また、本考案に係る盛塩用容器５０の蓋部４０には十二支の動物が模られている。そして、蓋部４０の動物を適切に選択することで、方位的な厄除け効果に対する心理的安心感も得ることができる。【選択図】図１
0003180635.tif 000002
【実用新案登録請求の範囲】
【請求項１】
盛塩を収容するための容器部と、
前記容器部を閉塞する蓋部と、を有し、
前記容器部の側壁には五陵星を模った星型形状の貫通孔が１乃至９個周方向に等間隔に形成され、
前記蓋部は十二支のいずれかの動物が模られていることを特徴とする盛塩用容器。
【考案の詳細な説明】
【技術分野】
【０００１】
本考案は、厄除け、魔除け等に用いられる盛塩を収容する盛塩用容器に関するものである。
【背景技術】
【０００２】
盛塩とは、塩を三角錐型もしくは円錐型に盛って玄関や扉等の両側に置く風習であり、その場の気を浄化したり邪気を払うものとされ、厄除け、魔除けとして神社や商店、飲食店等で広く行われている。また、近年では風水の流行などの影響もあり、盛塩を行う一般家庭も増加している。
【０００３】
しかしながら、盛塩は時間経過とともにゴミや埃等が付着し、見栄えが悪いという問題点がある。また、風等で飛び散った場合、掃除が面倒であるという問題点がある。この問題点に対し下記［特許文献１］では透明で円錐形のプラスチック容器に塩を詰めこれを盛塩として使用する発明が開示されている。
【先行技術文献】
【特許文献】
【０００４】
【特許文献１】特開２００６−１５８５７５号公報
【考案の概要】
【考案が解決しようとする課題】
【０００５】
しかしながら、［特許文献１］に記載の発明では塩をプラスチック容器に詰めているため外気と接していない。このため、心理的に魔除けとしての効果に疑義が生じる。また、視覚的に安っぽく厳粛さに欠けるとういう問題点がある。
【０００６】
本考案は上記事情に鑑みてなされたものであり、盛塩の汚れや飛散を防止するとともに魔除け効果に不安を感じさせない盛塩用容器を提供することを目的とする。
【課題を解決するための手段】
【０００７】
本考案は、
（１）盛塩１０を収容するための容器部３０と、前記容器部３０を閉塞する蓋部４０と、を有し、
前記容器部３０の側壁３２には五陵星を模った星型形状の貫通孔３４が１乃至９個周方向に等間隔に形成され、
前記蓋部４０は十二支のいずれかの動物が模られていることを特徴とする盛塩用容器５０を提供することにより、上記課題を解決する。
【考案の効果】
【０００８】
本考案に係る盛塩用容器によれば、盛塩が容器内部に収容されるため汚れや埃の付着を防止することができる。また、風等により盛塩が飛散することを防止することができる。また、本考案に係る盛塩用容器の側壁には魔除け効果があるとされる五陵星を模った貫通孔が形成されている。そして、この貫通孔を通して容器内の気と外気とが流通する。このため、魔除け効果に疑義が生じることが無い。さらに、本考案に係る盛塩用容器の蓋部は十二支のいずれかの動物が模られており、この蓋部の動物を適切に選択することで方位的な魔除けの効果を心理的に得ることができる。
【図面の簡単な説明】
【０００９】
【図１】本考案に係る盛塩用容器を示す図である。
【図２】方位と十二支との対応を示す図である。
【考案を実施するための形態】
【００１０】
本考案に係る盛塩用容器の実施の形態について図面に基づいて説明する。図１に示す本考案に係る盛塩用容器５０は、盛塩１０を収容するための容器部３０と、容器部３０を閉塞する蓋部４０と、を有している。そして、容器部３０の側壁３２には五陵星を模った星型形状の貫通孔３４が形成されている。この貫通孔３４の数は１個から９個であり側壁３２の周方向に等間隔に形成される。よって、容器部３０は貫通孔３４の数の異なる９種類が存在する。尚、図１においては、貫通孔３４が１つの容器部３０の例を示している。この貫通孔３４は盛塩１０の接している盛塩用容器５０内の空気と外気とを繋ぐものであり、貫通孔３４を通して盛塩１０の魔除け効果を外部に放つことを意図して形成されている。尚、五陵星は魔除け効果を有するとされており、貫通孔３４を五陵星を模った星型形状とすることで、盛塩１０の魔除け効果を尚一層引き立てる心理的効果を得ることができる。
【００１１】
また、蓋部４０は十二支（子、丑、寅、卯、辰、巳、午、未、申、酉、戌、亥）のいずれかの動物が模られている。よって、蓋部４０は模られた動物の異なる１２種類が存在する。尚、図１においては、子（鼠）を模った蓋部４０の例を示している。
【００１２】
盛塩用容器５０の材料としては陶器を用いることが特に好ましい。ただし、これに限定されるわけでは無く、木材、金属、石材、プラスチック等の周知の材料を用いても良い。また、容器部３０の底面には、スパイク（針）やゴム等の滑り止め部材を設置しても良い。容器部３０の底面に滑り止め部材を設置した構成では、強風やある程度の衝撃に対し盛塩用容器５０の移動と盛塩１０の倒壊を防止することができる。
【００１３】
また、盛塩用容器５０の蓋部４０もしくは容器部３０には所有者の家紋を付与するようにしても良い。尚、家紋を付与する場所は蓋部４０の動物の背面もしくは尻部分とすることが好ましい。家紋の付与は、家紋の印刷されたシールをユーザが選択し貼付することが最も手軽で低コストであり特に好ましい。ただし、この手法に限定されるわけでは無く、蓋部４０もしくは容器部３０に家紋を印刷もしくは彫刻により付与しても良い。この盛塩用容器５０に家紋を付与する構成では、自身の盛塩用容器５０の判別が可能となり、他者との混同や盗難を防止することができる。また、容器部３０にオルゴール等の音響設備を設けて、音響によって盛塩１０の魔除け効果の喚起を図るようにしても良い。
【００１４】
次に、盛塩用容器５０の好適な使用方法と選択方法とを説明する。先ず、蓋部４０の好適な選択方法を説明する。先ず、図２に示すように、方位は十二支で表すことができる。即ち、方位を十二支で表すと、子＝北、丑＝北北東、寅＝東北東、卯＝東、辰＝東南東、巳＝南南東、午＝南、未＝南南西、申＝西南西、酉＝西、戌＝西北西、亥＝北北西、となる。そして、仮に盛塩１０を置く玄関や神棚、扉等の設置場所が北方向にある場合、北方向（子）とは逆の南に相当する午を模った蓋部４０を二つ選択する。また、設置場所が東南東方向にある場合、東南東（辰）とは逆の西北西に相当する戌を模った蓋部４０を二つ選択する。また、設置場所が北東（丑寅）方向にある場合、この逆方位は南西（未申）となるため未を模った蓋部４０と申を模った蓋部４０を一つずつ選択する。尚、選択した蓋部４０の干支が異なる場合、盛塩用容器５０の左右の配置は基本的にその方位に準ずるものとする。つまり、未を模った蓋部４０と申を模った蓋部４０とを選択した場合、中心から見て左側に未の蓋部４０を被せた盛塩用容器５０を配置する。そしてこれを根付として使用する。また、根付として使用しない場合には、設置場所の方位と同じ方位に相当する十二支の蓋部４０を選択して配置するようにしても良い。
【００１５】
次に、容器部３０の好適な選択方法を説明する。先ず、日本には民間信仰である九星（一白水星、二黒土星、三碧木星、四緑木星、五黄土星、六白金星、七赤金星、八白土星、九紫火星）が存在する。そして、これら九星は各年に割り当てられており、例えば２０１２年は六白金星の年であり、２０１３年は五黄土星の年である。ただし、九星における一年は立春を基準とする。そして、この各年に割り当てられた九星の年の数と同じ個数の貫通孔３４を有する容器部３０をその年の容器部３０として選択する。即ち、六白金星の２０１２年（２０１３年２月３日まで）は貫通孔３４が６個の容器部３０を選択する。
【００１６】
尚、基本的に子、卯、午、酉を模った蓋部４０は、貫通孔３４が１個、４個、７個の容器部３０と組み合わせ、丑、辰、未、戌を模った蓋部４０は、貫通孔３４が３個、６個、９個の容器部３０と組み合わせ、寅、巳、申、亥を模った蓋部４０は、貫通孔３４が２個、５個、８個の容器部３０と組み合わせることが好ましい。ただし、蓋部４０と容器部３０との選択方法はこれらの方法に限定されるわけでは無い。
【００１７】
次に、盛塩用容器５０の使用方法の一例を説明する。先ず、盛塩を行う玄関、扉、窓、神棚等の設置場所を選択する。次に、上記の例に則り、その設置場所の方位と逆の干支が模られた蓋部４０を２つ選択する。次に、その日の年の九星の数と同じ貫通孔３４の数の容器部３０を２つ選択する。次に、容器部３０の内部に三角錐型もしくは円錐型に塩を盛って盛塩１０を形成する。次に、盛塩１０が盛られた容器部３０を設置場所に載置する。次に、選択された蓋部４０をそれぞれの容器部３０に被せ、容器部３０を閉塞する。
【００１８】
以上のように、本考案に係る盛塩用容器５０は、五陵星を模った貫通孔３４を有する容器部３０と、十二支の動物が模られた蓋部４０を有しており、この内部に盛塩１０を収容する。このため、盛塩１０の汚れや埃の付着を防止することができる。また、風や衝撃により盛塩１０が設置場所周辺に飛散することを防止することができる。このため、掃除の手間を省くことができることに加え、屋内でも安心して盛塩１０を行うことができる。
【００１９】
また、盛塩用容器５０は容器部３０に形成された貫通孔３４により容器内の気と外気とが流通する。これにより、盛塩１０の効果が周囲に及ぶという心理的安心感を得ることができる。また、この貫通孔３４は魔除け効果があるとされる五陵星を模った形に形成されている。これにより、尚一層の心理的安心感を得ることができる。
【００２０】
またさらに、本考案に係る盛塩用容器５０の蓋部４０には十二支の動物が模られている。そして、蓋部４０の動物を適切に選択することで、方位的な厄除け効果に対する心理的安心感も得ることができる。
【００２１】
尚、上記に示した盛塩用容器５０のデザインは一例であるから、容器部３０、蓋部４０のデザインや形状、寸法等は本考案の要旨を逸脱しない範囲で変更して実施することが可能である。
【符号の説明】
【００２２】
１０    盛塩
３０    容器部
３２    側壁
３４    貫通孔
４０    蓋部
５０    盛塩用容器
【図１】
0003180635.tif 000003
【図２】
0003180635.tif 000004